(57)【要約】      （修正有）【課題】陳列対象商品の模型を載置部上に備えた商品陳列具を提供する。【解決手段】商品陳列具１１が陳列スペースを確保し易く、また、一般需要者等に対して注目度を高めることができ、さらに、このような広告対象の商品の製造元・販売元・代理店等がその費用負担によって提供された画像表示装置を転用することを困難にしたり、盗難防止に役立てる商品陳列具１１であって、陳列対象商品の模型１３を載置部１２上に備える。【選択図】図１
2016144501.tif 000002
【特許請求の範囲】
【請求項１】
陳列対象商品を陳列する載置部を備える商品陳列具であって、陳列対象商品の模型を載置部上に備えた商品陳列具。
【請求項２】
前記模型が、陳列対象商品に関連した表示がされていることを特徴とする請求項１記載の商品陳列具。
【請求項３】
前記模型が、画像表示装置を備えることを特徴とする請求項１または２記載の商品陳列具。
【請求項４】
前記画像表示装置の表示が、陳列対象商品と同様に視認できる表示を含むことを特徴とする請求項３記載の商品陳列具。
【発明の詳細な説明】
【技術分野】
【０００１】
本発明は、店頭等において商品等の陳列対象商品の広告表示等のサイネージを行なう商品陳列具に関する。
【背景技術】
【０００２】
一般に、店頭等において商品等の広告表示を行なう広告媒体としては、看板やフラッグ、新規な動作をする可動ディスプレイ等がアイキャッチディスプレイとして広く利用されている。
【０００３】
また最近では、例えばテレビ受像機を１台若しくは数台配列してテレビ画像により商品の印象付けや、広告、インフォメーション等を行なう例が増えている。
【０００４】
しかし、通常のテレビ画像による広告では、テレビ受像機を数台設置するための専用スペースが必要であり、また、看板、フラッグ等とテレビ受像機とを併用して広告効果を上げようとする場合は、それぞれ広告形態が異なるため、それら媒体の設定や配置等に手間や労力を要し、また総体的な広告形態が煩雑になる傾向があった。
【０００５】
そこで、看板による広告媒体と、テレビ受像機による広告媒体とをコンパクトにジョイントし、商品等の展示品の間近に設置することによって、より大きな広告効果を得ようとすることが考えられていた。
【０００６】
すなわち、静止画像用又はテレビ画像用の小型電子画像装置前面の画像表示パネルと対向する部位に窓孔部を孔設しかつ適宜広告表示を施した表示プレートを該装置前面側に設け、商品等を展示するための展示部に取付固定可能な取付固定用具をその装置背面側に設けたことを特徴とする広告表示体を提供する技術が開示されている（特許文献１）。
【先行技術文献】
【特許文献】
【０００７】
【特許文献１】特開平７−１３４５５５号公報
【発明の概要】
【発明が解決しようとする課題】
【０００８】
しかしながら、従来の広告表示体を提供する技術では、実際に陳列されている陳列対象商品との関係が明確でなく、関係のない商品等の棚で表示されることが少なくなかった。従って、広告表示体などの画像表示装置によって需要者の注目を惹きつけても実際の広告対象商品を発見できず、また、関連性を認識できないために購買に結びつかないことによる販売機会を損失することが珍しくなかった。
【０００９】
また、このような従来の広告表示体等では、その広告表示体が設置されている棚などと関連性のない商品等が陳列等されることが珍しくなく、それによって需要者に対して十分な注目を惹きつけることが容易ではなかった。
【００１０】
さらに、このような広告表示体は販促のために用いられるものであるため、広告対象の商品の製造元・販売元・代理店等がその費用負担によって小売店等に提供される場合が多いが、そのような従来の広告表示体ではその陳列として実際に陳列する商品が広告対象とは異なった商品が展示される場合が少なくなく、それによって製造元・販売元・代理店等がその広告表示体の提供に負担した費用が回収できない場合もあった。
【００１１】
さらに、このような広告表示体は一般的な画像表示装置を用いる場合が少なくなく、この場合、盗難の対象となる場合もあった。
【００１２】
本発明は上記事情に鑑みてなされたものであり、このような商品陳列具が陳列スペースを確保し易く、また、一般需要者等に対して注目度を高めることができ、さらに、このような広告対象の商品の製造元・販売元・代理店等がその費用負担によって提供された画像表示装置を転用することを困難にしたり、盗難防止に役立てる商品陳列手段を提供することを目的とするものである。
【課題を解決するための手段】
【００１３】
本発明は、まず、陳列対象商品を陳列する載置部を備える商品陳列具であって、陳列対象商品の模型を載置部上に備えた商品陳列具を提供するものである。
【００１４】
また、前記模型が、陳列対象商品に関連した表示がされていることを特徴とする上記商品陳列具を提供するものである。
【００１５】
また、前記模型が、画像表示装置を備えることを特徴とする上記商品陳列具を提供するものである。
【００１６】
また、前記画像表示装置の表示が、陳列対象商品と同様に視認できる表示を含むことを特徴とする上記商品陳列具を提供するものである。
【００１７】
この場合の載置部は、枠のない単なる陳列台であってもよいし、落下やはみだし防止のための枠がある棚形状であるものであってもかまわない。
【００１８】
また、このような模型は、載置部の中央、端、など載置する位置は特定するもので良いが、好ましくは前面に置かれると好ましい。
【００１９】
また、このような模型は陳列対象商品を模した形状が好ましいが、色、形、模様などを模したものが好ましいが、全く同一である必要性はなく、一部色彩などが異なっていた方が目立つ場合もある。もちろん、形状や模様などが異なっていてもよい。
【００２０】
また、表面に画像表示装置などを備えているものでも良い。これにより、陳列対象商品を模したり、販促表示にしたり、レシピなど関連情報を提供したりなど自由に表現を変えることができる。
【００２１】
面画像表示装置は、面光源バックライト照明式、室内光照明式等照明光型のパッシブディスプレイ、又は自発光型のアクティブディスプレイのいずれであってもよく、通常は照明光式の液晶画像表示装置が適当であるが、場合によってはＣＲＴやプラズマディスプレイ等のアクティブディスプレイ類を使用することも可能である。
【００２２】
また形状は三角形、正方形、長方形等の四角形、その他多角形、円形、楕円形等の適宜形状でよいが、長方形又は正方形状が適当である。
【００２３】
また、一般に映像出力変換部も備えるものであり、一般的なテレビ受像機と同様に、映像信号入力部、映像信号を可視画像に変換するための映像信号増幅変換回路、色信号復調回路、Ｘ−Ｙ走査電極及び信号電極の駆動信号を発生させる画像走査マトリクス回路を備え、映像出力変換信号を単一または複数の画像表示装置に出力して、マトリクスパターン状のＸ−Ｙ画素を駆動走査して、文字画像、線画画像などの静止画像又は文字画像、線画
画像、撮影画像等の動画像を可視出力するものである。
【００２４】
画像だけでなく、必要に応じて音声も必要な場合は、映像出力変換部に代えて、受信した映像信号・音声信号を画像と音声に変換するための出力動作信号に出力変換する変換部である映像・音声出力変換部とを備える構成でも構わない。
【００２５】
画像表示装置は、映像出力変換部とともに、１００Ｖ（ＡＣアダプタ付）電源を使用するようにしてもよいが、電池、蓄電池等の電源（図示せず）によって駆動させるようにしてもよい。
【００２６】
この場合の画像表示装置は、模型の全面に設けても、一部の設けても複数設けても構わない。一部に設ける場合、左右方向上下方向どの部分でも構わない。また、模型の中に画像表示装置をはめ込むなどして模型と画像表示装置を一体化すれば、第三者が画像表示装置を盗み出すことを困難にできる。
【００２７】
画像表示装置の画像は、陳列対象商品に関連した表示であることを必要とする。例えば画像表示装置部分を補う画像となっており、擬似的に連続した画像になっており、あたかも模型の一部が浮かび上がった様に錯覚させることにより注目を集める構成や、一部色換えした画像とすることにより注目を集める構成や、動画により陳列商品であったと思ったものが突如変化することにより注目を集める構成、もしくは使用方法などを表示することにより購買意欲を向上させる構成などどのようなものでもよい。
【００２８】
何れにしても、陳列対象商品に限った画像であることが求められ、陳列対象商品以外の商品が陳列される等、想定外の使用がなされた場合、違和感があるようなものであればどのような画像でも構わない。
【発明の効果】
【００２９】
本発明は商品陳列具が陳列スペースを確保し易く、また、一般需要者等に対して注目度を高めることができ、さらに、このような広告対象の商品の製造元・販売元・代理店等がその費用負担によって提供された画像表示装置を転用することを困難にしたり、盗難防止に役立てることが可能となる。
【図面の簡単な説明】
【００３０】
【図１】本発明の第一の実施形態である商品陳列具の斜視図である。
【図２】図１の本発明の第一の実施形態である商品陳列具に商品を陳列した状態を示す斜視図である。
【図３】本発明の第二の実施形態である商品陳列具の斜視図である。
【図４】図３の本発明の第二の実施形態である商品陳列具に商品を陳列した状態を示す斜視図である。
【図５】本発明の第三の実施形態である商品陳列具の斜視図である。
【図６】図５の本発明の第三の実施形態である商品陳列具に商品を陳列した状態を示す斜視図である。
【図７】本発明の第四の実施形態である商品陳列具の斜視図である。
【図８】図７の本発明の第四の実施形態である商品陳列具に商品を陳列した状態を示す斜視図である。
【発明を実施するための形態】
【００３１】
以下に、本発明の実施形態を、図面を参照しながら詳しく説明する。
【００３２】
（第一の実施形態）
以下、本発明の第一の実施形態に係る商品陳列具について、添付図面を参照しながら説明する。
【００３３】
図１は本発明の商品陳列具の第一の実施形態を示す斜視図である。
【００３４】
この商品陳列具１１は、載置部１２を備えるとともに、この載置部の前面一端には商品陳列具の模型１３を備える。
【００３５】
載置部１２の隣や後には、図２の様に陳列対象商品１５を陳列することができる。
【００３６】
このような載置部１２の中に模型１３が混ざっている印象を与え、これにより注目を集める表示となっている。
【００３７】
対して、この載置部１２上に別な商品を配列した場合は、統一性のない違和感を与える構成となっており、広告表示機能を発揮しないものである。
【００３８】
（第二の実施形態）
図３は本発明の商品陳列具の第二の実施形態を示す斜視図である。
【００３９】
この商品陳列具２１は、載置部２２を備えるとともに、この載置部の前面一端には商品陳列具の模型２３を備える。
【００４０】
また、この模型２３の前面には画像表示装置２４を備え、陳列対象商品の使用方法を示す画像を表示するものであり、購買意欲をそそる表示となっており、これにより注目を集める表示となっている。
【００４１】
載置部２２の隣や後には、図４の様に陳列対象商品２５を陳列することができる。
【００４２】
対して、この載置部２２上に別な商品を配列した場合は、統一性のない違和感を与える構成となっており、広告表示機能を発揮しないものである。
【００４３】
その他は第一の実施形態と同様である。
【００４４】
（第三の実施形態）
図５は本発明の商品陳列具の第１の実施形態を示す斜視図である。
【００４５】
この商品陳列具３１は、載置部３２を備えるとともに、この載置部の前面一端には商品陳列具の模型３３を備える。
【００４６】
また、この模型３３の前面には画像表示装置３４を備え、陳列対象商品の上部と同一の画像を表示するものであり、あたかもこの模型が陳列対象商品の一部のみが切り取られた様な錯覚を与える表示となっており、これにより注目を集める表示となっている。
【００４７】
このように特異な視覚効果を与える画像を表示するものであり、購買意欲をそそる表示となっており、これにより注目を集める表示となっている。
【００４８】
なお、この模型は、画像表示装置の枠外にも陳列対象商品の固定表示を伴うものでもよく、例えば、陳列対象商品の上部と同一の画像を表示するものでもよい。この場合、あたかもこの模型が陳列対象商品の上部のみが飛び出した様な錯覚を与える表示となっており、これにより注目を集める表示となる。
【００４９】
載置部３２の隣や後には、図６の様に陳列対象商品３５を陳列することができる。
【００５０】
対して、この載置部３２上に別な商品を配列した場合は、統一性のない違和感を与える構成となっており、広告表示機能を発揮しないものである。
【００５１】
その他は第二の実施形態と同様である。
【００５２】
（第四の実施形態）
図７は本発明の商品陳列具の第１の実施形態を示す斜視図である。
【００５３】
この商品陳列具４１は、載置部４２を備えるとともに、この載置部の前面一端には商品陳列具の模型４３を備える。
【００５４】
また、この模型４３の前面全面には画像表示装置３４を備え、陳列対象商品と同一の画像を表示するものであり、あたかもこの模型が陳列対象商品と錯覚を与える表示となっており、これにより注目を集める表示となっている。
【００５５】
このように特異な視覚効果を与える画像を表示するものであり、購買意欲をそそる表示となっており、これにより注目を集める表示となっている。
【００５６】
なお、この模型は、画像表示装置の画像が使用方法の表示に変化したり、色、模様などを替える表示に変化することでさらに特異な視覚効果を与える画像を表示するものであり、購買意欲をそそる表示となっており、これにより注目を集める表示となっている。
【００５７】
この場合、前面の全面表示となっているが、表示画像を勝手に変えられると陳列対象商品以外に用いられる可能性が残るが、その場合、陳列対象商品以外に用いられることを防止したり、他の用途への転用を防止する手段として、静止画や動画にかかわらず画像を固定し一切変更できない方法も可能であるが、表示変更禁止手段を設けて、販売店が自由に変更できない構造であっても構わない。この場合、表示変更禁止解除手段は、物理的に回収したあとでないと変更できない構成でも構わないし、ネット等や通信を介して変更可能な構成でも構わない。また、解除キー方式等でも構わない。
【産業上の利用可能性】
【００５８】
本願は、店頭等において商品等の陳列対象商品の広告表示等のサイネージを行なう商品陳列具に用いられる。
【符号の説明】
【００５９】
１１、２１、３１、４１    商品陳列具
１２、２２、３２、４２    載置部
１３、２３、３３、４３    模型
２４、３４、４４    画像表示装置
１５、２５、３５、４５    陳列対象商品
【図１】
2016144501.tif 000003
【図２】
2016144501.tif 000004
【図３】
2016144501.tif 000005
【図４】
2016144501.tif 000006
【図５】
2016144501.tif 000007
【図６】
2016144501.tif 000008
【図７】
2016144501.tif 000009
【図８】
2016144501.tif 000010